(57)【要約】      （修正有）【課題】ユーザーが直接換気扇内の各構成のみを順次分解して各構成に発生される問題を解決したり、掃除などのメンテナンスを容易に行なうことができるダンパー内蔵型換気扇を提供する。【解決手段】換気扇１００は、内部にエアフローチャンバーを形成し、エアフローチャンバーと連通される空気排出口１１５が設けられるハウジング１１０と、モータ１２０の回転軸に回転可能に連結されてハウジングに内在されるインペラーと、空気排出口を開閉させる逆流防止ダンパー１５０と、を含んで構成される。換気扇内の各構成は、簡単な着脱方式により分解することができる。【選択図】図１
0003230389.tif 000002
【実用新案登録請求の範囲】
【請求項１】
内部にエアフローチャンバーを形成し、前記エアフローチャンバーと連通される空気排出口が設けられるハウジングと、
モータの回転軸に回転可能に連結されて前記ハウジングに内在されるインペラーと、及び
前記空気排出口を開閉させる逆流防止ダンパーと、を含み、
前記逆流防止ダンパーは、前記ハウジングの内部で前記空気排出口に着脱可能に装着されることを特徴とするダンパー内蔵型換気扇。
【請求項２】
前記逆流防止ダンパーは、前記空気排出口の内側形態に対応される形合わせで形成されて、前記空気排出口に嵌められて結合されることを特徴とする請求項１に記載のダンパー内蔵型換気扇。
【請求項３】
前記逆流防止ダンパーの着脱方向に結合及び分解方向をガイドし、結合された前記逆流防止ダンパーの結合位置を限定するために、前記逆流防止ダンパーの外側面と前記空気排出口の内側面の相互当接する面上に形成される結合溝と、及び結合突起と、をさらに含むことを特徴とする請求項２に記載のダンパー内蔵型換気扇。
【請求項４】
前記インペラーは、円筒のファン状で形成されて回転時に接線方向に空気を吹き送るシロッコファンであり、
前記空気排出口は、前記インペラーによって送られた空気が円滑に排出されるように四角形の断面形状から円形の断面形状に延びる管状であることを特徴とする請求項１に記載のダンパー内蔵型換気扇。
【請求項５】
前記逆流防止ダンパーは、前記空気排出口の円形の断面形状に対応する形合わせの外側形状に形成されて円形の断面形状部位に嵌められて整合されることを特徴とする請求項４に記載のダンパー内蔵型換気扇。
【請求項６】
前記インペラーと前記モータの回転軸を着脱可能に結合させるインペラー着脱手段と、をさらに含む請求項１に記載のダンパー内蔵型換気扇。
【請求項７】
前記インペラー着脱手段は、前記インペラーと前記モータの回転軸の連結部位に備えられるマグネットと、をさらに含むことを特徴とする請求項６に記載のダンパー内蔵型換気扇。
【請求項８】
内部にエアフローチャンバーを形成し、前記エアフローチャンバーと連通される空気排出口が設けられるハウジングと、
モータの回転軸に回転可能に連結されて前記ハウジングに内在されるインペラーと、を含み、
前記インペラーと前記モータの回転軸を着脱可能に結合させるインペラー着脱手段において、
前記モータの回転軸は、マグネットに磁力結合可能な磁性物質で成されて少なくとも一部が面取りされた軸構造で形成され、
前記インペラーは回転の中心に前記回転軸が挿入できる連結溝と前記連結溝の内側に形成されたマグネットを備え、
前記連結溝は一部が面取りされた前記回転軸が挿入された状態で、前記回転軸の回転方向への係止爪を備え、前記係止爪は前記連結溝の内部に挿入された前記回転軸の回転方向への遊びを形成する構造であることを特徴とするダンパー内蔵型換気扇。
【請求項９】
前記回転軸は、軸方向に垂直な断面形状が弧の一部が面取りされた円形であり、弧の一部が面取りされた円断面を有する前記回転軸に対応する前記連結溝の少な
くとも一部分の断面形状が、前記係止爪の断面によって前記面取りされた領域の一部のみを占め、前記回転軸の外郭を囲む円に近い形を有することを特徴とする請求項８に記載のダンパー内蔵型換気扇。
【請求項１０】
前記係止爪は、前記回転軸の挿入方向から前記連結溝の内側方向に前記回転軸の挿入を案内する斜面が形成されることを特徴とする請求項８又は９に記載のダンパー内蔵型換気扇。
【考案の詳細な説明】
【技術分野】
【０００１】
本考案は、ダンパー内蔵型換気扇に関するものであって、より詳しくは、換気扇内の各構成の結合及び分解を容易にする着脱方式によりユーザーが直接修繕や修理を容易にしたり、清掃などのメンテナンスを容易に行なえる構造で提供されるダンパー内蔵型換気扇に関する。
【背景技術】
【０００２】
一般的に、住宅、オフィスのような建物には、内部空間に蓄積された二酸化炭素、汚染空気及び悪臭などを外へ強制排気させて快適な室内環境を維持できるように換気設備が設けられる。
【０００３】
換気設備は、主に建物の天井仕上材の上部に埋め込まれる方法で設けられ、建物の各室内にダクトユニット（例えば、フレキシブル管とディフューザーなど）を媒介として連通する構造を持っている。  
【０００４】
このような換気設備に関する従来の先行技術としては、特許文献１の「スライド組立式換気扇」が開示されている。つまり、換気設備は、建物内の吸気及び排気、空気調和または空気を浄化させる装置であって、上記従来の換気扇のような装置で設けられる。換気扇は、建物の浴室やトイレ、ドレスルーム又はキッチンなどの各室内で煙や臭いなどを吸引排出する用途として使用されている。
【０００５】
このように、従来の換気扇は、内部に備えられる各構成がボールティング方式や他の複雑な締結方法により結合及び分解が行われるので、一般ユーザーがこれらの各構成を個別に結合及び分解するということは、事実上非常に難しいのが実情である。即ち、従来の換気扇は、各構成に問題が発生したり、清掃などのメンテナンスが必要になる場合には、専門家に依頼するか、または複雑な分解過程によりこれを解決するしかないという使用上の煩わしい問題点があった。
【０００６】
さらに、従来の換気扇は、排気された二酸化炭素、汚染空気及び悪臭などの逆流を防止するためのダンパーを備えることが望ましい。このダンパーは、通常、上記のように換気扇内の各構成の結合及び分解が非常に困難であるという問題点に因り、換気扇の外で別途の部品として排気口経路上に設けられたり、外側で着脱できる構造で設けられる。これにより、従来の換気扇は、連結されたダンパーに問題が発生したり、清掃などのメンテナンスが必要になる場合には、換気扇が埋め込まれた建物の天井仕上材の一部分を解除するか、または解体された天井仕上材から換気扇自体を分離した状態でなければダンパーを換気扇から分解することができないので、専門家によってのみこれを解決するしかないという使用上の煩わしい問題点があった。
【先行技術文献】
【特許文献】
【０００７】
【特許文献１】大韓民国公開特許第１０―２０１７―００６４８２４号公報（２０１７年６月１２日）「スライド組立式換気扇」
【考案の概要】
【考案が解決しようとする課題】
【０００８】
本考案は、上記のような問題点を解決するためのものであって、換気扇内の各構成を簡単に着脱できる着脱構造を適用して、ユーザーが直接上記各構成を順次分解して上記各構成に発生する問題を解決したり、掃除などのメンテナンスを行なえるダンパー内蔵型換気扇を提供することにその目的がある。
【０００９】
特に、逆流防止ダンパーを前記換気扇の前記空気排出口に装着するとき、前記換気扇の内部で前記逆流防止ダンパーを着脱可能に装着できる構造のダンパー内蔵型換気扇を提供することに他の目的がある。
【００１０】
そして、前記逆流防止ダンパーの外側面と前記空気排出口の内側面の相互当接する面上に形成される結合溝及び結合突起を介して装着された前記逆流防止ダンパーの結合位置を限定して、前記逆流防止ダンパーの回転を防止できるダンパー内蔵型換気扇を提供することに他の目的がある。
【００１１】
また、前記空気排出口は、インペラーによる空気排出形態に近い四角形の断面形状から通常の円形ダクトと連結される円形の断面形状に連続的に延びる管状で形成されて、インペラーによって送られた空気をガイドして、渦流による騒音を最小限に抑えた状態で換気扇の外へ円滑に排出できるダンパー内蔵型換気扇を提供することに他の目的がある。
【００１２】
なお、前記インペラーと前記モータの回転軸の連結部位に備えられるマグネットにより、前記インペラーを前記モータの回転軸に磁力結合方式で簡単に着脱可能に装着できるダンパー内蔵型換気扇を提供することに他の目的がある。
【考案を解決するための手段】
【００１３】
上記のような目的を達成するために、本考案に係るダンパー内蔵型換気扇は、内部にエアフローチャンバーを形成し、前記エアフローチャンバーと連通される空気排出口が設けられるハウジングと、モータの回転軸に回転可能に連結されて前記ハウジングに内在されるインペラーと、及び前記空気排出口を開閉させる逆流防止ダンパーと、を含んで達成することができる。
前記逆流防止ダンパーは、前記ハウジングの内部で前記空気排出口に着脱可能に装着されるように構成されることができる。
【００１４】
このとき、前記逆流防止ダンパーは、前記空気排出口の内側形態に対応される形合わせで形成されて前記空気排出口に嵌められて結合されるように構成されることができる。
【００１５】
さらに、前記逆流防止ダンパーの着脱方向に結合及び分解方向をガイドし、結合された前記逆流防止ダンパーの結合位置を限定するために、前記逆流防止ダンパーの外側面と前記空気排出口の内側面の相互当接する面上に形成される結合溝と、及び結合突起と、をさらに含むことができる。
前記インペラーは、円筒のファン状に形成されて回転時に接線方向に空気を吹き送るシロッコファンで構成されることができる。
【００１６】
また、前記空気排出口は、前記インペラーによって送られた空気が円滑に排出されるように四角形の断面形状から円形の断面形状に延びる管状で構成されることができる。
【００１７】
一方、前記逆流防止ダンパーは、前記空気排出口の円形の断面形状に対応する形合わせの外側形状に形成されて、円形の断面形状部位に嵌められて整合されるように構成されることができる。
また、前記インペラーと前記モータの回転軸を着脱可能に結合させるインペラー着脱手段と、をさらに含むことができる。
前記インペラ着脱手段は、前記インペラーと前記モータの回転軸の連結部位に備えられるマグネットと、をさらに含むことができる。
【００１８】
一方、本考案に係るダンパー内蔵型換気扇は、内部にエアフローチャンバーを形成し、前記エアフローチャンバーと連通される空気排出口が設けられるハウジングと、モータの回転軸に回転可能に連結されて前記ハウジングに内在されるインペラーと、を含み、前記インペラーと前記モータの回転軸を着脱可能に結合させるインペラー着脱手段において、前記モータの回転軸は、マグネットに磁力結合可能な磁性物質から成り、少なくとも一部が面取りされた軸構造で形成され、前記インペラーは回転中心に前記回転軸が挿入できる連結溝と前記連結溝の内側に設けられたマグネットを備え、前記連結溝は一部が面取りされた前記回転軸が挿入された状態で、前記回転軸の回転方向への係止爪を備え、前記係止爪は前記連結溝の内部に挿入された前記回転軸の回転方向への遊びを形成する構造で成される。
【００１９】
このとき、前記回転軸は、軸方向に垂直な断面の形状が弧の一部が面取りされた円形であり、弧の一部が面取りされた円形断面を有する前記回転軸に対応される前記連結溝の少なくとも一部分の断面形状が前記係止爪の断面により、前記面取りされた領域のうち一部のみを占めて、前記回転軸の外郭を囲む円に近い形を有することができる。
このとき、前記係止爪は、前記回転軸の挿入方向から前記連結溝の内側方向に前記回転軸の挿入を案内する斜面が形成されることができる。
【考案の効果】
【００２０】
本考案に係るダンパー内蔵型換気扇によれば、換気扇内の各構成は、簡単な着脱方式により分解することができるので、ユーザーが直接換気扇内の各構成のみを順次分解して各構成に発生する問題を解決したり、掃除などのメンテナンスを容易に行うことができる。
【００２１】
さらに、ユーザーは、従来とは異なり、専門家を通すことなく直接上記のような作業を行なうことができるので、専門家を通して問題を解決したり、掃除などのメンテナンスを行なわなければならないという煩わしさを減らすことができ、これにかかる時間や費用を節減することができる。
【００２２】
また、換気扇の空気排出口に装着される逆流防止ダンパーは、従来とは異なり、換気扇内部で着脱可能に装着されるので、換気扇を建物の天井仕上材の上部に設けた後でも容易に装着させることができる。つまり、逆流防止ダンパーもまた換気扇の内部で分解することができるので、逆流防止ダンパーに問題が発生したり、掃除などのメンテナンスが必要な場合には、前述した作業をユーザーが直接容易に行うことができる。
【００２３】
また、逆流防止ダンパーの外側面と空気排出口の内側面の相互当接する面上に形成される結合溝及び結合突起を介して装着された逆流防止ダンパーの結合位置を限定するため、逆流防止ダンパーは、回転が防止されて常時同一の形態で空気排出口を開閉して、建物の内部空間に蓄積されている二酸化炭素、汚染空気や悪臭などを換気扇の外へ効率的に排気させることができる。
【００２４】
また、空気排出口は、四角形の断面形状から円形の断面形状に延びる管状で形成されるので、インペラーによって送られた空気、即ち建物の内部空間に蓄積された二酸化炭素、汚染空気や悪臭などが換気扇の内壁に当たらないようにガイドして換気扇の外へ円滑に排気させることができる。つまり、空気排出口は、上記のような流体力学的構造で形成されることにより、排気効率をさらに向上させることができる。
【００２５】
さらに、インペラーとモータの回転軸の連結部位に備えられるマグネットによりインペラーをモータの回転軸に磁力結合方式で着脱可能に装着させることができる。つまり、インペラーもまた換気扇の内部で分解することができるので、インペラーに問題が発生したり、掃除などのメンテナンスが必要な場合には、前述した作業をユーザーが直接容易に行うことができる。
【００２６】
さらに、前記モータの回転軸の回転によって回転されるインペラーの連結溝内側の係止爪を、面取りされた回転軸の面取り領域の一部のみを占めるように構成するか、またはこれに加えて前記係止爪を前記回転軸の挿入方向に対して斜面が形成されるようにすることにより、回転軸にインペラーを結合する作業をより簡単に行うことができる。
【図面の簡単な説明】
【００２７】
【図１】本考案に係るダンパー内蔵型換気扇の全体状態を示した図である。
【図２】図１の分解状態を示す図である。
【図３】図１の「Ａ―Ａ」の断面状態を示した図である。
【図４】図３の分解状態を示す図である。
【図５】空気排出口と逆流防止ダンパーの結合構造に対する実施例を示した図である。
【図６】モータの回転軸と連結溝の結合構造を示す断面図である。
【図７】連結溝内部の係止爪の形状を示す断面図である。
【考案を実施するための形態】
【００２８】
以下では、添付された図面を参照して本考案の望ましい実施例を詳細に説明する。
特別な定義がない限り、本明細書のすべての用語は、本考案の属する技術分野の通常の技術者が理解する当該用語の一般的意味と同一であり、若し本明細書で使用された用語が当該用語の一般的意味と衝突した場合には、本明細書で使用された定義に従う。
【００２９】
一方、以下に記述される装置の構成やシステムは、本考案の実施例を説明するためのものであって、本考案の権利範囲を限定するものではない。明細書全体にわたって同一に使用された参照番号は、同一の構成要素を示す。
【００３０】
本考案に係るダンパー内蔵型換気扇１００は、内部にエアフローチャンバー１１１を形成し、前記エアフローチャンバー１１１と連通される空気排出口１１５が設けられるハウジング１１０と、モータ１２０の回転軸１２１に回転可能に連結されて前記ハウジング１１０に内在されるインペラー１３０と、及び前記空気排出口を開閉させる逆流防止ダンパー１５０と、を含む。
【００３１】
ハウジング１１０は、図１〜図４に示すように、内部空間を形成する箱状に設けられる。詳しくは、ハウジング１１０は、建物の内部に向かって開放された引込口１１３が設けられ、建物の外部に向かって開放された空気排出口１１５が設けられる。
【００３２】
ここで、ハウジング１１０は、図３及び図４に示すように、前述した内部空間にエアフローチャンバー１１１を形成する。前記エアフローチャンバー１１１は、通常、内側が円筒形を成し、その内部に後述するインペラー１３０が備えられる。前記エアフローチャンバー１１１では、備えられたインペラー１３０が回転しながら発生した空気が圧縮される背圧が発生する。つまり、インペラー１３０によってエアフローチャンバー１１１の内部に吸い込まれる建物の内部空間に蓄積された二酸化炭素、汚染空気及び悪臭など（以下、「汚染空気」という）は、背圧によってエアフローチャンバー１１１の内側面にガイドされながら、後述する空気排出口１１５へ流動されて排気される。
【００３３】
引込口１１３は、ハウジング１１０の下部に設けられ、円形、四角形または多角形などの様々な断面形状で設けられるが、本考案では、四角形の断面形状で設けられる。前記引込口１１３は、前述した各構成がハウジング１１０の内部空間に出入される通路の役割だけでなく、これにより汚染空気が前述したエアフローチャンバー１１１に流入される流入口の役割を果たす。
【００３４】
空気排出口１１５は、ハウジング１１０の側面に設けられ、円形、四角形、または多角形などの様々な断面形状で設けられるが、本考案では、四角形の断面形状で設けられる。前記空気排出口１１５は、前述したエアフローチャンバー１１１内に吸込まれた汚染空気をハウジング１１０の外へ排気させる通路の役割を果たす。
【００３５】
ここで、空気排出口１１５は、四角形の断面形状で設けられると前述したが、これに結合されるダクトやフレキシブル管の断面形状に対応する形状を成すために、図１〜図５に示すように、四角形の断面形状から円形の断面形状に変換される構造を成すことができる。詳しくは、空気排出口１１５の構造は、従来の換気扇に設けられる排気口１１５の構造（四角形の断面形状の一部を遮る内壁に円形の断面形状を成す構造）とは異なり、四角形の断面形状の一部を遮らないように四角形の断面形状から円形の断面形状に斜めに延びる管状の流体力学的構造で形成されることができる。
【００３６】
これにより、空気排出口１１５は、エアフローチャンバー１１１に吸込まれた汚染空気を四角形の断面形状から円形の断面形状にガイドして排気させる。つまり、空気排出口１１５は、既存のものとは異なり、四角形の断面形状を一部遮る内壁が形成されないので、汚染空気が内壁に当たって発生する騒音や渦流現象などが全く現れないようにする効果を提供することができる。さらに、空気排出口１１５は、前述した構造により、これを通して排気される汚染空気の背圧を減少させないので、汚染空気が、後述する逆流防止ダンパー１５０の遮断板を十分押し出せる背圧を維持させる効果を提供することもできる。
【００３７】
例えば、空気排出口１１５は、ハウジング１１０の側面から突出して一体的に形成されることができ、実施例のように別途の管の形態を有する部材で形成されてハウジング１１０の外側に着脱可能に装着されることもできる。
【００３８】
一方、ハウジング１１０は、図１〜図４に示すように、内部空間を区画するパネル部１６０を設けることができる。前記パネル部１６０は、図２に示すように内側に孔状の空気流入口１６１が形成された板状の構造で形成され、前述したエアフローチャンバー１１１に設けられる後述するインペラー１３０が発生させる空気をエアフローチャンバー１１１内で圧縮させるために、図３に示すように、エアフローチャンバー１１１の下部を遮断する状態でハウジング１１０の内部に設けられる。例えば、パネル部１６０は、ハウジング１１０の内側面から突出する一体型に形成されることができ、別途の板状を有する部材で形成されてハウジング１１０の内部に着脱可能に装着されることもできる。
【００３９】
ここで、パネル部１６０が、前述したように別途の部材で形成される場合には、パネル部１６０をハウジング１１０の内部に着脱可能に装着させるために、ボールティング方式、締結方式または磁力結合方式などの様々な着脱方式を利用することができるが、本考案では、磁力結合方式を利用してパネル部１６０をハウジング１１０の内部に容易に装着させることができる。より詳細には、パネル部１６０とハウジング１１０の内側面一部分の連結部位にマグネット１７０を備えることにより、パネル部１６０をハウジング１１０の内部に磁力結合させることができる。
【００４０】
これにより、パネル部１６０は、ハウジング１１０の内部で着脱可能に装着されることができる。つまり、パネル部１６０は、ハウジング１１０の内部で装着されるだけでなく、分解されることもできる。
【００４１】
したがって、パネル部１６０そのものに問題が発生したり、、その掃除などのメンテナンスが必要な場合には、ユーザーは直接ハウジング１１０の内部でパネル部１６０を分解して、前述した作業を容易に行うことができるので、従来の方式とは異なり、専門家を通してこれを解決しなければならないという煩わしさを減らすことができ、使用上の便利な利点もあり、既存の方式によってかかる時間や費用などを効率的に節減することもできる。
インペラー１３０は、図２〜図４に示すように、円筒のファン状で形成されることができ、望ましくは、シロッコファンで構成されても良い。
【００４２】
インペラー１３０は、図３に示すように内側の中央に陥凹された連結溝１３１が形成されることができる。前記連結溝１３１には、ハウジング１１０に備えられるモータ１２０の回転軸１２１が挿入されて連結されることができる。前記連結溝１３１と回転軸１２１のより具体的な構成例は、詳細に後述する。
【００４３】
これにより、インペラー１３０は、モータ１２０の回転軸１２１に回転可能に連結されることができ、モータ１２０の回転軸１２１が配置されるハウジング１１０のエアフローチャンバー１１１に内在されることができる。即ち、インペラー１３０は、モータ１２０の駆動力により連動されて回転し、回転時に接線方向、つまりエアフローチャンバー１１１の内側面に向かって空気を吹き送ることになる。
一方、インペラー１３０をモータ１２０の回転軸１２１に着脱可能に結合させるためにインペラー１３０着脱手段をさらに含むことができる。
【００４４】
インペラー１３０着脱手段はボールティング方式、締結方式または磁力結合方式などの様々な着脱方式を利用することができるが、本考案では、磁力結合方式を利用して、インペラー１３０をモータ１２０の回転軸１２１に容易に結合させることができる。より詳しくは、インペラー１３０とモータ１２０の回転軸１２１の連結部位にマグネット１７０を備えてインペラー１３０をモータ１２０の回転軸１２１に磁力結合させることができる。このとき、マグネット１７０は、インペラー１３０内に備えられることもでき、回転軸１２１自体を磁性を有するマグネット１７０で構成することもできるが、望ましくは、図３に示すようにインペラー１３０の連結溝１３１の下部に別途形成された空間に内在される。
【００４５】
これにより、インペラー１３０は、磁力結合方式を利用したインペラー１３０着脱手段によりハウジング１１０の内部で着脱可能に結合されることができる。つまり、インペラ１３０は、ハウジング１１０の内部でモーター１２０の回転軸１２１に結合されるだけでなく、分解されることもできる。
【００４６】
したがって、インペラー１３０そのものに問題が発生したり、その掃除などのメンテナンスが必要な場合には、ユーザーは直接ハウジング１１０の内部でインペラー１３０を分解して、前述した作業を容易に行うことができるので、従来の方式とは異なり、専門家を通してこれを解決しなければならないという煩わしさを減らすことができ、使用上の便利な利点もあり、既存の方式によってかかる時間や費用などを効率的に節減することができる。
【００４７】
さらに、図６〜図７に示すように、モータ１２０の回転軸１２１とインペラー１３０の連結溝１３１の容易な結合作業のために、回転軸１２１と連結溝１３１はユニークな構造を有しても良い。
【００４８】
つまり、回転軸１２１の回転方向にインペラー１３０が一緒に回転できるようにするためには、通常、知られているように、回転軸１２１は、円柱型の外側面一部が面取りされた形状を有し、回転軸１２１が挿入される連結溝１３１は、前記面取りされた形状と形合わせの孔状に成されても良いが、このとき、連結溝１３１内部の断面形状が、前記回転軸１２１の断面形状と同一にのみ形成された場合には、回転軸１２１を連結溝１３１に挿入する作業が困難になり得る。
【００４９】
これを解決するために、前記連結溝１３１の内部の係止爪１３１は、前記面取りされた領域全体を占める形ではなく、図６に示すように、その一部のみを占める形でなされることが望ましい。即ち、図示したように、回転軸１２１の面取りされた領域が半円形である場合、係止爪１３２の断面形状は、同一の半円形ではなく、内角が９０°の扇形断面を有するように形成されることができる。
前記係止爪１３２形状を有することにより、回転軸１２１は概略的な角度を持って挿入される場合にも、連結溝１３１に容易に結合することができる。
【００５０】
これに加えて、前記係止爪１３２は、図７に示すように、回転軸１２１の挿入方向から連結溝１３１の内側方向に斜面を備えることができるが、このような構造により回転軸１２１を挿入するのに適した位置に案内する役割を果たす。
【００５１】
逆流防止ダンパー１５０は、空気排出口１１５に装着されて内側に設けられた遮断板の開閉有無に応じて、空気排出口１１５を開閉させる構成要素である。前記逆流防止ダンパー１５０は、ハウジング１１０の内部で空気排出口１１５に装着されるために、空気排出口１１５の内側形状に対応する外側形状に形成されることができる。詳しくは、逆流防止ダンパー１５０は、空気排出口１１５の円形の断面形状に対応する形合わせの外側形状、即ち、円形の断面形状に形成されることができる。
【００５２】
これにより、逆流防止ダンパー１５０は、空気排出口１１５に嵌められて整合されることができる。つまり、逆流防止ダンパー１５０は、ハウジング１１０の内部で空気排出口１１５に結合されるだけでなく、分解されることもできる。
【００５３】
したがって、逆流防止ダンパー１５０そのものに問題が発生したり、その掃除などのメンテナンスが必要な場合には、ユーザーは直接ハウジング１１０の内部で逆流防止ダンパー１５０を分解して、前述した作業を容易に行うすることができるので、従来の方式とは異なり、専門家を通してこれを解決しなければならないという煩わしさを減らすことができ、使用上の便利な利点もあり、既存の方式によってかかる時間や費用などを効率的に節減することができる。
【００５４】
そして、逆流防止ダンパー１５０は、図２〜図５に示すように、ハウジング１１０の内部方向に向かって突出した取っ手１５１と、をさらに含むことができる。前記取っ手１５１は、ユーザーが把持できる様々な形で設けられてもよいが、本考案では図示されたような板状に形成されることができる。
【００５５】
これにより、ユーザーは、逆流防止ダンパー１５０から突出した取っ手１５１を把持してハウジング１１０の内部で逆流防止ダンパー１５０を空気排出口１１５に着脱させることができる。
【００５６】
したがって、逆流防止ダンパー１５０が、前述したように空気排出口に１１５に整合されても、ユーザーは取っ手１５１を把持してハウジング１１０の内部で容易に着脱させることができるので、使用上の便利な利点がある。
【００５７】
一方、前述したように、逆流防止ダンパー１５０が空気排出口１１５に結合される着脱方向に結合及び分解方向をガイドし、結合された逆流防止ダンパー１５０の結合位置を限定するために、逆流防止ダンパー１５０の外側面と空気排出口１１５の内側面の相互当接する面上に形成される結合溝１１５ａと、及び結合突起１５１ａと、をさらに含むことができる。
【００５８】
結合溝１１５ａは、逆流防止ダンパー１５０の外側面または空気排出口１１５の内側面に形成される。前記結合溝１１５ａは、逆流防止ダンパー１５０の着脱方向に沿って陥凹形成される溝状で形成されることができ、場合によっては、複数形成されることができる。本考案では、結合溝１１５ａは、空気排出口１１５の内側面に形成されることができる。つまり、結合溝１１５ａに後述する結合突起１５１ａが挿入されたり分離される場合には、結合溝１１５ａは、長手方向、即ち、逆流防止ダンパー１５０の着脱方向に沿って結合突起１５１ａを案内することができる。
【００５９】
結合突起１５１ａは、結合溝１１５ａに対応する逆流防止ダンパー１５０の外側面または空気排出口１１５の内側面に形成される。前記結合突起１５１ａは、逆流防止ダンパー１５０の着脱方向に沿って突出形成される突起状に形成されることができ、場合によっては、結合溝１１５ａに対応する数に形成されることができる。本考案では、結合突起１５１ａは、逆流防止ダンパー１５０の外側面に形成されることができる。つまり、結合突起１５１ａが、前述した結合溝１１５ａに挿入されたり分離される場合には、結合突起１５１ａは、結合溝１１５ａの長手方向、即ち、逆流防止ダンパー１５０の着脱方向に沿ってガイドされることができる。
【００６０】
これにより、逆流防止ダンパー１５０は、ハウジング１１０の内部で空気排出口１１５に着脱される場合には、前述した結合溝１１５ａと結合突起１５１ａの結合構造により着脱方向に沿って結合及び分解方向にガイドされることができる。また、逆流防止ダンパー１５０は、ハウジング１１０の内部で空気排出口１１５に結合される場合には、結合溝１１５ａと結合突起１５１ａの結合構造により互いに係止することによって回転が防止されることができる。
【００６１】
したがって、逆流防止ダンパー１５０は、ハウジング１１０の内部で空気排出口１１５に容易に結合されるか、または空気排出口１１５から容易に分解されることができるので、使用上の便利な利点がある。また、逆流防止ダンパー１５０が空気排出口１１５に結合された場合には、逆流防止ダンパー１５０は、結合溝１１５ａと結合突起１５１ａの結合構造により回転が防止されるので、常時同一の形態で空気排出口１１５を開閉することにより、汚染空気を換気扇の外へ効率的に排気させることもできる。
【００６２】
また、本考案に係るダンパー内蔵型換気扇１００は、蓋部１９０をさらに含むことができる。前記蓋部１９０は、ハウジング１１０の引込口１１３に対応する面積を有する板材状に形成されることができ、ハウジング１１０の内部に汚染空気とともに流入された異物が、建物の内部に落下されることを防止するために、ハウジング１１０の引込口１１３を遮断する状態でハウジング１１０の外部に設けられる。このとき、蓋部１９０は、ハウジング１１０の引込口１１３から一定の間隔を置いて配置されることが望ましいが、これはハウジング１１０の引込口１１３に汚染空気が流入できる空間を形成するためである。
【００６３】
ここで、蓋部１９０は、ハウジング１１０の外側に着脱可能に装着されるためにボールティング方式、締結方式または磁力結合方式などの様々な着脱方式を利用することができるが、本考案では、磁力結合方式を利用してハウジング１１０の外部に容易に装着させることができる。より詳しくは、蓋部１９０とハウジング１１０外側面の一部分の連結部位にマグネット１７０を備えることにより、蓋部１９０をハウジング１１０の外部に磁力結合させることができる。
【００６４】
これにより、蓋部１９０は、ハウジング１１０の外部で着脱可能に装着されることができる。つまり、蓋部１９０は、ハウジング１１０の外部で装着されるだけでなく、分解されることもできる。
【００６５】
したがって、蓋部１９０そのものに問題が発生したり、その掃除などのメンテナンスが必要な場合には、ユーザーは直接ハウジング１１０の外部で蓋部１９０を分解して、前述した作業を容易に行うことができるので、使用上の便利な利点がある。
【００６６】
例えば、本考案に係るダンパー内蔵型換気扇１００は、前述したようにハウジング１１０に備えられた各構成に問題が発生したり、その掃除が必要な場合は、ユーザーが直接、前述した作業を行なうことになると説明したが、そのために、各構成の着脱過程を次のように簡単に説明する。
【００６７】
まず、ユーザは、ハウジング１１０の外部で蓋を分解することができる。このとき、蓋１７０は、磁力結合方式によりハウジング１１０の外側面一部分に着脱可能に装着されているので、ユーザーによって非常に容易に分解することができる。
【００６８】
その後、ユーザーは、ハウジング１１０の内部でパネル部１６０を分解することができる。このとき、パネル部１６０は、磁力結合方式によりハウジング１１０の内側面一部分に着脱可能に装着されているので、ユーザーによって非常に容易に分解することができる。
【００６９】
その後、ユーザーは、ハウジング１１０の内部でインペラー１３０を分解することができる。このとき、インペラー１３０は、磁力結合方式によりモータ１２０の回転軸１２１に着脱可能に装着されているので、ユーザーによって非常に容易に分解することができる。
【００７０】
その後、ユーザーは、ハウジング１１０の内部で逆流防止ダンパー１５０を分解することができる。このとき、逆流防止ダンパー１５０は、空気排出口１１５に形合わせの外側形状を成して嵌合方式により着脱可能に装着されているので、ユーザーによって非常に容易に分解することができる。
【００７１】
このように、ユーザは、上記のような順により、前述した構成を順次分解してハウジング１１０の引込口１１３を介して取り出すことができるので、問題が発生した各構成を直接修理したり入れ替えることができ、その掃除などのメンテナンスを行うことができる。逆に、ユーザーは、上記のような逆順で、前述した構成を順次に再結合させることもできる。
【００７２】
このように、本考案に係るダンパー内蔵型換気扇１００は、既存とは異なり、専門家を通すことなく直接上記のような作業を行なうことができるので、専門家を通して問題を解決したり、掃除などのメンテナンスを行なわなければならないという煩わしさを減らすことができ、これにかかる時間や費用を節減することができる。
【符号の説明】
【００７３】
１００：ダンパー内蔵型換気扇          １１０：ハウジング
１１１：エアフローチャンバー          １１３：引込口
１１５：空気排出口                    １１５ａ：結合溝
１２０：モータ                        １２１：回転軸
１３０：インペラー                    １３１：連結溝
１３２：係止爪                        １５０：逆流防止ダンパー
１５１ａ：結合突起                    １６０：パネル部
１７０：マグネット                    １９０：蓋
【図１】
0003230389.tif 000003
【図２】
0003230389.tif 000004
【図３】
0003230389.tif 000005
【図４】
0003230389.tif 000006
【図５】
0003230389.tif 000007
【図６】
0003230389.tif 000008
【図７】
0003230389.tif 000009